(57)【要約】【課題】  本発明は、錠剤やミント等が入れられた箱状容器を収納でき、新たな箱状容器と交換可能であり、繰り返し使用できる、興趣ある収納ケースを提供する。【解決手段】  蓋体100と容器体110を含む箱状容器の上面から両側面にかけて覆う上面部11および両側面部13,14を有し、上面部の後端側縁部に箱状容器の背面側に沿うように延出する上面フランジ部11aと、両側面部の下端側縁部から箱状容器の下面側に沿うように延出する側面フランジ部13a,14aと、これら側面フランジ部の後端から後方に向けて延出し、それらの先端が上方に曲げられている突片13c,13dと、これら側面フランジ部の後端で突片の一側に沿い両側面部の下端側縁部に沿って前方に延びる切欠き部13d,114dとを備え、上面部のフランジ部で蓋体100の背面部106の外側を、突片で蓋体の背面部の内側を挟み蓋体を固定できる箱状容器用収納ケースを提供する。【選択図】  図１
2010089830.tif 000002
【特許請求の範囲】
【請求項１】
上部に開口を有する容器体の上面に、上記容器体の上方から両側面および背面にかけて覆う上面部、両側面部および背面部を有する蓋体を摺動可能に設け、上記蓋体に対して上記容器体を前方側に摺動させて上記容器体の上面を開放し、上記容器体の内容物を取り出し可能に構成した箱状容器に組み付け可能な箱状容器用収納ケースであって、
上記箱状容器の上面から両側面にかけて覆う上面部および両側面部と、
該上面部の後端側縁部に上記箱状容器の背面側に沿うように延出する上面フランジ部と、
該両側面部の下端側縁部から上記箱状容器の下面に沿うように延出する側面フランジ部と、
該側面フランジ部の後端から後方に向けて延出し、それらの先端が上方に曲げられている突片と、
該側面フランジ部の後端で該突片の一側に沿い該両側面部の下端側縁部に沿って前方に延びる切欠き部と
を備え、該上面部のフランジ部で上記蓋体の背面部の外側を、該突片の先端で上記蓋体の背面部の内側を挟み上記蓋体を固定でき、上記容器体の摺動を可能とする箱状容器用収納ケース。
【請求項２】
上記突片の上記側面フランジ部の後端から後方に延出する長さと、上記切欠き部の上記側面フランジ部の後端から前方に延びる長さの合計が、少なくとも４ｍｍである請求項１に記載の箱状容器用収納ケース。
【請求項３】
上記箱状容器が、上記枠体の両側面の前側部に、上記容器体の両側面の前側部の突出部に嵌合する切欠き部を備えるものであり、
上記収納ケースの両側面の前側部が、上記容器体の突出部を曝すことができるように開放部を備え、上記容器体の両側面の突出部をつかんで上記容器体を摺動させ、上記容器体の上面を開放し、上記容器体の内容物を取り出し可能とする請求項１又は請求項２に記載の箱状容器用収納ケース。
【請求項４】
一枚の板状金属を打ち抜いて得られたものである請求項１〜３のいずれかに記載の箱状容器用収納ケース。
【発明の詳細な説明】
【技術分野】
【０００１】
本発明は、錠剤や、ラムネ、ガム、ミント等の粒状の菓子等を入れて一粒ごとの取り出しを可能とする容器を収納できる収納ケースに関する。
【背景技術】
【０００２】
錠剤や、ラムネ、ガム、ミント等の粒状の菓子等は、一粒ごとの取り出しを可能とする容器に入れて市販されている。これらの容器は、機能的に作られているが、面白みに欠けるため、容器本体に文字、模様、人物、風景等の表示が形成されたプレートを着脱可能に取り付け、購入者に趣味感、収集感を与え、購買意欲を高めた興趣ある容器が開発されている（特許文献１）。これは、容器の上面に溝を形成し、装飾を施したプレートを差し込むものである。
【特許文献１】特開２００４−５９１３０号公報
【発明の開示】
【発明が解決しようとする課題】
【０００３】
この態様では、プレートを差し込むことができる溝を上面に形成した特別な容器が必要となり、購入した錠剤や、ラムネ、ガム、ミント等の粒状物を移し変える必要が生ずる。また、この容器には細かな粉体が残留することがあり、繰り返し使用する場合には、医療上、衛生上の問題や、残留フレーバーの問題を生ずる。したがって、本発明は、錠剤や、ラムネ、ガム、ミント等が入れられた容器をそのまま収納でき、容器が空になったとき等は新たな箱状容器と交換でき、繰り返し使用できる、興趣ある収納ケースの提供を目的とする。
【課題を解決するための手段】
【０００４】
本発明によれば、上部に開口を有する容器体の上面に、上記容器体の上方から両側面および背面にかけて覆う上面部、両側面部および背面部を有する蓋体を摺動可能に設け、上記蓋体に対して上記容器体を前方側に摺動させて上記容器体の上面を開放し、上記容器体の内容物を取り出し可能に構成した箱状容器に組み付け可能な箱状容器用収納ケースであって、
上記箱状容器の上面から両側面にかけて覆う上面部および両側面部と、
該上面部の後端側縁部に上記箱状容器の背面側に沿うように延出する上面フランジ部と、
該両側面部の下端側縁部から上記箱状容器の下面に沿うように延出する側面フランジ部と、
該側面フランジ部の後端から後方に向けて延出し、それらの先端が上方に曲げられている突片と、
該側面フランジ部の後端で該突片の一側に沿い該両側面部の下端側縁部に沿って前方に延びる切欠き部と
を備え、該上面部のフランジ部で上記蓋体の背面部の外側を、該突片の先端で上記蓋体の背面部の内側を挟み上記蓋体を固定でき、上記容器体の摺動を可能とする箱状容器用収納ケースが提供される。
また、本発明の箱状容器用収納ケースは、好ましくは、上記突片の上記側面フランジ部の後端から後方に延出する長さと、上記切欠き部の上記側面フランジ部の後端から前方に延びる長さの合計が、少なくとも４ｍｍである。
さらに、本発明の箱状容器用収納ケースは、好ましくは、上記箱状容器が、上記枠体の両側面の前側部に、上記容器体の両側面の前側部の突出部に嵌合する切欠き部を備えるものであり、
上記収納ケースの両側面の前側部が、上記容器体の突出部を曝すことができるように開放部を備え、上記容器体の両側面の突出部をつかんで上記容器体を摺動させ、上記容器体の上面を開放し、上記容器体の内容物を取り出し可能とする。
【発明の効果】
【０００５】
本発明の収納ケースは、市販されている、錠剤や、ラムネ、ガム、ミント等の粒状物が入れられた容器をそのまま装着でき、空になった容器を取り外して新しく購入した容器を装着することより繰り返し使用できる。移し変えの必要がないため、医療上、衛生上の問題や、残留フレーバーの問題を発生させない。また、本発明の収納ケースの上面には、装飾や文字等の表示を施すことができ、この収納ケースの使用や携帯の楽しさを増すことができる。
【発明を実施するための最良の形態】
【０００６】
本発明の収納ケースは、錠剤や、ラムネ、ガム、ミント等の粒状物が入れられた箱状容器を内部に収納可能な収納ケースである。箱状容器は、上部に開口を有する容器体の上面に、容器体の上方から両側面および背面にかけて覆う上面部、両側面部および背面部を有する蓋体を摺動可能に設け、蓋体に対して容器体を前方側に摺動させて容器体の上面を開放し、上記容器体の内容物を取り出し可能に構成する。
【０００７】
市販されている箱状容器の例を図９に示す。
箱状蓋体１００は、蓋体上面部１０１と蓋体背面部１０６と蓋体右側面部１０３と蓋体左側面部１０４とを備えて蓋体前面と蓋体下面が開放されている。蓋体両側面部１０３、１０４は、これらの両側面部の下端側縁部に沿って容器体の下面側に向けて突出する蓋体右側面凸部１０３ａと蓋体左側面凸部１０４ａを備える。
箱状容器体１１０は、容器体下面部１１２と容器体前面部１１５と容器体背面部１１６と容器体右側面部１１３と容器体左側面部１１４とを備え、容器上面が開放されている。容器体両側面部１１３、１１４は、これらの両側面部の下端側縁部に沿って蓋体右側面凸部１０３ａと蓋体左側面凸部１０４ａに嵌合する容器体右側面凹部１１３ａと容器体左側面凹部１１４ａを備える。これらの嵌合により、蓋体１００に対して容器体１１０を前方側に摺動させて、容器体の上面を開放し、容器体の内容物を取り出すことができる。
【０００８】
箱状容器は、蓋体の右側面部１０３の前側部に、容器体右側面部１１３の前側部の容器体右側面突出部１１３ｂに嵌合する蓋体右側面切欠き部１０３ｂを備え、蓋体の左側面部１０４の前側部に、容器体左側面部１１４の前側部の容器体左側面突出部１１４ｂに嵌合する蓋体左側面切欠き部１０４ｂを備える。容器体の両側面の突出部１１３ｂ、１１４ｂを掴んで、前方側に押すことにより、蓋体１００に対して容器体１１０を前方側に摺動させて、容器体の上面を開放し、容器体の内容物を取り出すことができる。
【０００９】
蓋体上面部１０１の裏側には、蓋体上面部１０１と蓋体背面部１０６が接する辺の真ん中から前面方向に、蓋体右側面切欠き部１０３ｂや蓋体左側面切欠き部１０４ｂの前面方向への長さと同じ距離をおいて蓋体上面裏側突起部１０１ａを設ける。蓋体上面裏側突起部１０１ａは、半球を二分した曲面（球状面）と垂直面を持つ形状を有し、前面方向に曲面が向き、背面方向に垂直平面が向くため、容器体１１０を蓋体に前方から挿入する際には、容器体背面部１１６の上端が蓋体上面裏側突起部１０１ａの曲面を容易に乗り越えることができるが、その後容器体１１０を前方側に摺動させる際には、容器体背面部１１６の上端が蓋体上面裏側突起部１０１ａの垂直平面に係止され、蓋体上面裏側突起部１０１ａを超えて容器を摺動させることができない。すなわち、容器体１１０は、容器体背面部１１６の外側が蓋体背面部１０６の内側と接する位置から、蓋体上面裏側突起部１０１ａの位置までの間を摺動できる。これらの位置の間隔は、通常、蓋体右側面切欠き部１０３ｂや蓋体左側面切欠き部１０４ｂの前面方向への長さと同じ距離である。容器体背面部１１６の外側が蓋体背面部１０６の内側と接する位置では、箱状容器は閉められた状態であり、容器体背面部１０６が蓋体上面裏側突起部１０１ａの位置では、容器体１１０の前方部の開放された上面側が曝されて、内容物の取り出しが可能となる。
【００１０】
箱状容器の蓋体と容器体の材質は、特に限定されないが、成形の容易さやコスト等を考慮し、通常はＡＢＳ樹脂等のプラスチックが多い。
【００１１】
本発明の一つの具体例である収納ケース１０を図１と図２に基づき説明する。図２は、収納ケース１０の後方の拡大図を示す。
収納ケース１０は、上面部１１と右側面部１３と左側面部１４を備え、前面と背面と下面が開放されている箱状のカバーである。上面フランジ部１１ａは、上面部１１の後端側縁部から箱状容器の背面側に沿うように下方に延出する。上面フランジ部１１ａの上面部１１の後端側縁部から下方に延出する長さは、箱状容器の蓋体背面部１０６の外側を係止でき、美観を損ねなければ特に限定されないが、例えば、箱状容器の高さが５ｍｍより大きい場合、好ましくは１〜５ｍｍ、より好ましくは１．５〜３ｍｍである。短すぎると箱状容器の背面を保持できない場合があり、長すぎると箱状容器を収納ケースから取り外すことが困難となる場合があり、また、材料の使用量が増えてコスト高となる可能性がある。
【００１２】
図１の例では、収納ケース１０の両側面部１３、１４は、上面部１１の後端側縁部から前面方向に一定の間隔をあけて上面部１１の両側縁部から下側に延びている。右側面フランジ部１３ａは、右側面部１３の下端側縁部から箱状容器の下面側に沿うように左側面部１４の下端縁部に向けて延出し、左側面フランジ部１４ａは、左側面部１４の下端側縁部から箱状容器の下面側に沿うように右側面部１３の下端縁部に向けて延出する。両側面フランジ部１３ａ、１４ａの両側面部１３、１４の下端側縁部から箱状容器の下面側に沿うように延出する長さ（フランジ部の幅）は、箱状容器の下面を係止でき、美観を損ねなければ特に限定されないが、例えば、箱状容器の幅が２０ｍｍより大きい場合、好ましくは１．５〜１０ｍｍ、より好ましくは２〜５ｍｍである。短すぎると後述する突片１３ｃ、１４ｃと切欠き部１３ｄ、１４ｄの形成が困難となる場合があり、長すぎると材料の使用量が増えてコスト高となる可能性がある。
【００１３】
両側面フランジ部１３ａ、１４ａの後端には、後方に向けて延出し、それらの先端が上方に曲げられ、箱状容器の蓋体の背面部１０６と容器体の背面部１１６の間に係合可能な両側面フランジ突片１３ｃ、１４ｃを備える。また、両側面フランジ部１３ａ、１４ａの後端には、突片１３ｃ、１４ｃの外側（突片同士が向き合う内側と反対の側）に沿い両側面部１３、１４の下端側縁部に沿って前方に延びる右側面フランジ切欠き部１３ｄと左側面フランジ切欠き部１４ｄを形成する。すなわち、両側面フランジ切欠き部１３ｄ、１４ｄが、両側面１３、１４の下端側縁部（側面フランジ部１３ａ、１４ａが延出するもと）に沿う。
収納ケース１０の左側面図である図３に示すように、両側面フランジ突片１３ｃ、１４ｃの先端は、上方に曲げられており、後述するように、箱状容器の蓋体１００の背面部１０６の内側の下部に係止する。したがって、上面フランジ部１１ａで蓋体の背面部１０６の少なくとも上部の外側を、両側面フランジ突片１３ｃ、１４ｃで蓋体の背面部１０６の下部の内側を挟み、蓋体１００を固定でき、内容物を取り出すための容器体１１０のみの摺動が可能となる。
【００１４】
収納ケース１０の展開図を図４に示す。但し、図４では、両側面フランジ突片１３ｃ、１４ｃの先端を曲げる前のものを示す。右側面フランジ突片１３ｃは、右側面フランジ部１３ａの後端から後方（箱状容器の背面方向）に向けて延出する長さ１３ｃＬを有し、右側面フランジ切欠き部１３ｄは、右側面フランジ部１３ａの後端から前方（箱状容器の前面方向）に向けて延びる長さ１３ｄＬを有する。同様に、左側面フランジ突片１４ｃは、左側面フランジ部１４ａの後端から後方（箱状容器の背面方向）に向けて延出する長さ１４ｃＬを有し、左側面フランジ切欠き部１４ｄは、左側面フランジ部１４ａの後端から前方（箱状容器の前面方向）に向けて延びる長さ１４ｄＬを有する。
長さ１３ｃＬと長さ１３ｄＬの合計は、好ましくは少なくとも４ｍｍ、より好ましくは５〜８ｍｍである。また、長さ１４ｃＬと１４ｄＬの合計は、好ましくは少なくとも４ｍｍ、より好ましくは５〜８ｍｍである。箱状容器を取り外すときには、後述するように、箱状容器の蓋体１００の背面部１０６の下部の内側に係止されたフランジ突片１３ｃ、１４ｃの先端を持ち上げて、背面部１０６の下端を前方に移動させることが必要となる。操作者が指でフランジ突片１３ｃの先端を容易に持ち上げるためには、長さ１３ｃＬと長さ１３ｄＬの合計が短すぎないことが好ましく、フランジ突片１４ｃの先端を容易に持ち上げるためには、長さ１４ｃＬと長さ１４ｄＬの合計が短すぎないことが好ましいからである。また、長すぎると、変形する可能性が生じるため、収納ケースの材質の強度等を考慮して長さを選択する。
【００１５】
両側面フランジ突片１３ｃ、１４ｃの長さ１３ｃＬ、１４ｃＬは、それらの先端が、箱状容器の蓋体１００の背面部１０６の下部の内側に接し、箱状容器の蓋体１００の背面部１０６の少なくとも上部の外側に接する上面フランジ部１１ａとともに箱状容器の蓋体の背面部１０６を挟むことができる長さであればよく、それぞれ、例えば少なくとも１ｍｍ、好ましくは少なくとも２ｍｍである。
両側面フランジ突片１３ｃ、１４ｃの先端が箱状容器の下面で蓋体背面部１０６の内側と蓋体背面部１１６の外側の間に入り込む深さは、先端が蓋体背面部１０６の内側に当たる程度でよく、この程度で蓋体背面部１０６を係止できる。深すぎると、箱状容器を取り外すときに突片の先端を持ち上げることが容易ではなくなることに留意する。この深さは、好ましくは、零を超えて１ｍｍ未満である。
なお、両側面部１３、１４は、上面部１１の後端側縁部（上面フランジ１１ａが延出するもと）から前面方向に一定の間隔をあけて上面部１１の両側縁部から下側に延びる場合、箱状容器の蓋体１００の背面部１０６の下部の内側にフランジ突片１３ｃ、１４ｃの先端を係止させるため、長さ１３ｃＬ、１４ｃＬは、それぞれこの間隔と同じか、または長くなる。
【００１６】
収納ケース１０では、両側面フランジ部１３ａ、１４ａ、両側面フランジ突片１３ｃ、１４ｃ、及び両側面フランジ切欠き部１３ｄ、１４ｄは、左右対称となっているが、これらの機能を考慮すると、左右対称でなくてもよいことは明らかである。
【００１７】
本発明の収納ケースは、上面と右側面と左側面を備え、前面と背面と下面が開放されており、箱状容器を内部に収納することができる。箱状容器は、箱状蓋体と箱状容器体を備え、箱状蓋体の内部に保持された箱状容器体を摺動させることにより箱状容器の中身の取出し口が現れる構造を有する。中身は、錠剤や、ラムネ、ガム、ミント等の粒状物である。
【００１８】
一例として、箱状容器を内部に収納した収納ケースの斜視図を図５に示し、この収納ケースを反転したときの斜視図を図６に示す。
図６に示すように、上面フランジ部１１ａは、蓋体１００の背面部１０６の上部の外側に接し、両側面フランジ突片１３ｃ、１４ｃの折り曲げられた先端は、蓋体１００の背面部１０６の下部の内側に接している。収納ケース１０の上面フランジ部１１ａと両側面フランジ突片１３ｃ、１４ｃの先端で箱状容器の蓋体の背面部１０６を挟み、蓋体１００を固定できるため、内容物を取り出すための容器体１１０のみの移動が可能となる。上述のように、蓋体の上面裏側突起部１０１ａを備えるときは、上面裏側突起部１０１ａを超えて容器体を摺動させることができないため、摺動による容器体１１０の蓋体からの脱離を防止することができる。
蓋体右側面凸部１０３ａと蓋体左側面凸部１０４ａは、収納ケース１０の右側面フランジ部１３ａおよび左側面フランジ部１４ａと接しており、蓋体は収納ケースに保持されている。
【００１９】
格納ケース１０の右側面部１３は、前側部に、容器体右側面突出部１１３ｂを曝すことができるように、蓋体右側面切欠き部１０３ｂに対応する右側面開放部１３ｂを備えることが好ましい。格納ケースの左側面部１４は、前側部に、容器体左側面突出部１１４ｂを曝すことができるように、蓋体左側面切欠き部１０４ｂに対応する左側面開放部１４ｂを備えることが好ましい。容器右側面突出部１１３ｂと容器左側面突出部１１４ｂをつかんで容器を摺動させ、容器体１１０の上面を開放し、内容物の取り出しが可能となるからである。
【００２０】
箱状容器を内部に収納した収納ケースにおいて、箱状容器の容器体を摺動させて中身の取り出し口が表れたときの斜視図を図７に示す。また、このときの収納ケースを反転させたものを図８に示す。
箱状容器の内容物がなくなった場合等、新たな箱状容器との交換が必要となった場合には、まず、使用済みの箱状容器を取り外す。具体的には、箱状容器の蓋体１００の背面部１０６の内側に係止されたフランジ突片１３ｃ、１４ｃの先端を持ち上げて、背面部１０６の下端を前方に移動させる。上述したように、容器体１１０は、通常、容器体背面部１１６の外側が蓋体背面部１０６の内側と接する位置から、蓋体上面裏側突起部１０１ａの位置までの間しか移動できないため、フランジ突片１３ｃ、１４ｃの先端を指で持ち上げることは容易ではないが、切欠き部１３ｄ、１４ｄを設けることにより容易となる。フランジ突片やこれと一体化された収納ケース全体に弾力性の良い金属等を用いることにより、フランジ突片の先端を繰り返し持ち上げることができ、箱状容器の交換可能な回数を増加させることができ、収納ケースを長く利用することができる。
次に、収納ケース１０に新たな箱状容器を収納し、上面フランジ部１１ａで箱状容器の蓋体１００の背面部１０６の少なくとも上部の外側を係止し、フランジ突片１３ｃ、１４ｃの先端で箱状容器の蓋体１００の背面部１０６の下部の内側を係止して、交換を完了する。
【００２１】
本発明の収納ケースの材質は、特に限定されないが、金属、プラスチック、紙等が挙げられる。図４は、収納ケース１０の展開図を示したが、収納ケースの材質が金属であれば、金属板をこの展開図のように打ち抜き、折り曲げて収納ケースとすることができ好ましい。金属としては、特に限定されないが、真鍮、ステンレス、アルミニウム、金、銀、銅、合金等が挙げられる。
本発明の収納ケースの上面には、装飾や文字等の表示を施すことができる。具体的には、接着剤を用いて上面にビース等を接着させたり、印刷物及び写真等を接着したり、金属プレートの接着または直接上面のプレス加工による装飾等がある。
【図面の簡単な説明】
【００２２】
【図１】本発明の具体例である収納ケース１０の斜視図を示す。
【図２】収納ケース１０の後方の拡大図を示す。
【図３】収納ケース１０の左側面図を示す。
【図４】収納ケース１０の展開図を示す。
【図５】箱状容器を内部に収納した収納ケース１０の斜視図を示す。
【図６】箱状容器を内部に収納した図５に示す収納ケース１０を反転したときの斜視図を示す。
【図７】箱状容器を内部に収納した収納ケース１０において、箱状容器の容器体を摺動させて中身の取り出し口が表れたときの斜視図を示す。
【図８】箱状容器を内部に収納した図７に示す収納ケース１０を反転したときの斜視図を示す。
【図９】市販されている箱状容器の例を示す。
【符号の説明】
【００２３】
１０      収納ケース
１１      上面部
１１ａ    上面フランジ部
１３      右側面部
１３ａ    右側面フランジ部
１３ｂ    右側面開放部
１３ｃ    右側面フランジ突片
１３ｄ    右側面フランジ切欠き部
１３ｃＬ  右側面フランジ突片の前後方向の長さ
１３ｄＬ  右側面フランジ切欠き部の前後方向の長さ
１４      左側面部
１４ａ    左側面フランジ部
１４ｂ    左側面開放部
１４ｃ    左側面フランジ突片
１４ｄ    左側面フランジ切欠き部
１４ｃＬ  左側面フランジ突片の前後方向の長さ
１４ｄＬ  左側面フランジ切欠き部の前後方向の長さ
１００    箱状蓋体
１０１    蓋体上面部
１０１ａ  蓋体上面突起部
１０３    蓋体右側面部
１０３ａ  蓋体右側面凸部
１０３ｂ  蓋体右側面切欠き部
１０４    蓋体左側面部
１０４ａ  蓋体右側面凸部
１０４ｂ  蓋体左側面切欠き部
１０６    蓋体背面部
１１０    箱状容器体
１１２    容器体下面部
１１３    容器体右側面部
１１３ａ  容器体右側面凹部
１１３ｂ  容器体右側面突出部
１１４    容器体左側面部
１１４ａ  容器体左側面凹部
１１４ｂ  容器体側面突出部
１１５    容器体前面部
１１６    容器体背面部
【図１】
2010089830.tif 000003
【図２】
2010089830.tif 000004
【図３】
2010089830.tif 000005
【図４】
2010089830.tif 000006
【図５】
2010089830.tif 000007
【図６】
2010089830.tif 000008
【図７】
2010089830.tif 000009
【図８】
2010089830.tif 000010
【図９】
2010089830.tif 000011